【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
ｅＮＢによるアンライセンススペクトラム上のワイヤレスＬＴＥ通信のための方法であって、
アンライセンススペクトラムの利用可能性を決定するためにクリアチャネルアセスメント（ＣＣＡ）を実行することと、
前記アンライセンススペクトラムが利用可能であるという決定が行われるときに、前記アンライセンススペクトラムを使用してリクエストツーセンド（ＲＴＳ）信号をユーザ機器（ＵＥ）のセットに送信することと、
前記アンライセンススペクトラムにおいて、前記ＲＴＳ信号に応答して共通クリアツーセンド（ＣＴＳ）信号をＵＥの前記セットから、および個別ＣＴＳ信号を前記ＵＥの１つまたは複数から受信することと、
を備える方法。
【請求項２】
前記ＲＴＳ信号を送信することは、
ＵＥの前記セットからの前記アンライセンススペクトラム上での後続のアップリンク送信を保護するために、アップリンクグラントの前に前記ＲＴＳ信号を送信することを備える、請求項１に記載の方法。
【請求項３】
前記ＣＣＡはリッスンビフォアトークプロトコルの適用を定義する現在のゲーティング間隔中のサブフレームの間に実行され、
前記ＲＴＳ信号は前記ＣＣＡの後に送信され、
前記共通ＣＴＳ信号および前記個別ＣＴＳ信号は前記サブフレームの終わりの前に受信される、請求項１に記載の方法。
【請求項４】
前記ＣＣＡと関連付けられる時間および前記ＲＴＳ信号の前記後続の送信と関連付けられる時間は、前記ＲＴＳ信号を受信するデバイスにおける衝突を回避するために、異なるｅＮＢの間でランダムにずらされる、請求項３に記載の方法。
【請求項５】
前記ＣＣＡと関連付けられる時間および前記ＲＴＳ信号の前記後続の送信と関連付けられる時間は、前記ＲＴＳ信号を受信するデバイスにおける衝突を回避するために相互にずらされ、前記ずらすことは、ｅＮＢ間で交換される協調シグナリングに少なくとも基づく、請求項３に記載の方法。
【請求項６】
ｅＮＢによるアンライセンススペクトラム上のワイヤレスＬＴＥ通信のための装置であって、
アンライセンススペクトラムの利用可能性を決定するためにクリアチャネルアセスメント（ＣＣＡ）を実行するための手段と、
前記アンライセンススペクトラムが利用可能であるという決定が行われるときに、前記アンライセンススペクトラムを使用してリクエストツーセンド（ＲＴＳ）信号をユーザ機器（ＵＥ）のセットに送信するための手段と、
前記アンライセンススペクトラムにおいて、前記ＲＴＳ信号に応答して共通クリアツーセンド（ＣＴＳ）信号をＵＥの前記セットから、および個別ＣＴＳ信号を前記ＵＥの１つまたは複数から受信するための手段と、
を備える、装置。
【請求項７】
アンライセンススペクトラム上のワイヤレスＬＴＥ通信のための方法であって、
ユーザ機器（ＵＥ）において、アンライセンススペクトラムを通じてＵＥのセットに送信されたリクエストツーセンド（ＲＴＳ）信号を受信することと、
前記アンライセンススペクトラムにおいて、前記ＲＴＳ信号に応答してＵＥの前記セットに共通する共通クリアツーセンド（ＣＴＳ）信号と個別ＣＴＳ信号とを送信することと、
を備える方法。
【請求項８】
前記ＲＴＳ信号は、前記ＲＴＳ信号のソースの媒体アクセス制御識別子（ＭＡＣ  ＩＤ）を備える、請求項１または７に記載の方法。
【請求項９】
前記ソースの前記ＭＡＣ  ＩＤは４８ビットのＭＡＣ  ＩＤを備える、請求項８に記載の方法。
【請求項１０】
前記ＲＴＳ信号は、前記ＵＥのＭＡＣ  ＩＤのハッシュされたバージョンを備える、請求項１または７に記載の方法。
【請求項１１】
前記共通ＣＴＳ信号は、前記ＲＴＳ信号の前記受信からショートインターフレームスペース（ＳＩＦＳ）後に送信され、前記共通ＣＴＳ信号は、前記ＲＴＳ信号のソースのＭＡＣ  ＩＤを備える、請求項７に記載の方法。
【請求項１２】
前記個別ＣＴＳは、前記ＲＴＳ信号のソースのＭＡＣ  ＩＤと、前記ＵＥのＭＡＣ  ＩＤとを備える、請求項１または７に記載の方法。
【請求項１３】
前記個別ＣＴＳ信号は、ＵＥの前記セット中の別のＵＥによって送信される別の個別ＣＴＳ信号に対してずらされた時間に送信される、請求項７に記載の方法。
【請求項１４】
アンライセンススペクトラム上のワイヤレスＬＴＥ通信のための装置であって、
ユーザ機器（ＵＥ）において、アンライセンススペクトラムを通じてＵＥのセットに送信されたリクエストツーセンド（ＲＴＳ）信号を受信するための手段と、
前記アンライセンススペクトラムにおいて、前記ＲＴＳ信号に応答してＵＥの前記セットに共通する共通クリアツーセンド（ＣＴＳ）信号と個別ＣＴＳ信号とを送信するための手段と、
を備える装置。
【請求項１５】
ワイヤレス通信装置による通信のためのコンピュータプログラム製品であって、前記ワイヤレス通信装置に、請求項１−５および７−１３のうちのいずれか一項に記載の方法を実行させるように、プロセッサによって実行可能な命令を記憶した、コンピュータ可読媒体を備える、コンピュータプログラム製品。
【手続補正２】
【補正対象書類名】明細書
【補正対象項目名】０２９８
【補正方法】変更
【補正の内容】
【０２９８】
[0353]本開示のこれまでの説明は、当業者が本開示を構成または使用することを可能にするために与えられる。本開示への様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、述べられた例に対する選好を何ら暗示せず、または要求しない。したがって、本開示は、本明細書で説明された例および設計に限定されるべきでなく、本明細書で開示される原理および新規の特徴に合致する最も広い範囲を与えられるべきである。
以下に、本願の出願当初の特許請求の範囲に記載された発明を付記する。
［Ｃ１］
ワイヤレス通信のための方法であって、
アンライセンススペクトラムの利用可能性を決定するためにクリアチャネルアセスメント（ＣＣＡ）を実行することと、
前記アンライセンススペクトラムが利用可能であるという決定が行われるときに、前記アンライセンススペクトラムを使用してリクエストツーセンド（ＲＴＳ）信号をユーザ機器（ＵＥ）のセットに送信することと、
前記アンライセンススペクトラムにおいて、前記ＲＴＳ信号に応答して共通クリアツーセンド（ＣＴＳ）信号と個別ＣＴＳ信号とを前記ＵＥの１つまたは複数から受信することと、
を備える方法。
［Ｃ２］
前記ＲＴＳ信号を送信することは、
ＵＥの前記セットからの前記アンライセンススペクトラム上での後続のアップリンク送信を保護するために、アップリンクグラントの前に前記ＲＴＳ信号を送信することを備える、Ｃ１に記載の方法。
［Ｃ３］
前記ＲＴＳ信号は、前記ＲＴＳ信号のソースの媒体アクセス制御識別子（ＭＡＣ  ＩＤ）を備える、Ｃ１に記載の方法。
［Ｃ４］
前記ソースの前記ＭＡＣ  ＩＤは４８ビットのＭＡＣ  ＩＤを備える、Ｃ３に記載の方法。
［Ｃ５］
前記ＲＴＳ信号は、前記セット中の前記ＵＥの前記ＭＡＣ  ＩＤのハッシュされたバージョンを備える、Ｃ１に記載の方法。
［Ｃ６］
前記共通ＣＴＳ信号は、前記ＲＴＳ信号の前記送信からショートインターフレームスペース（ＳＩＦＳ）後に受信され、前記共通ＣＴＳ信号は、前記ＲＴＳ信号のソースのＭＡＣ  ＩＤを備える、Ｃ１に記載の方法。
［Ｃ７］
各個別ＣＴＳは、前記ＲＴＳ信号のソースのＭＡＣ  ＩＤと、前記個別ＣＴＳを送信する前記ＵＥのＭＡＣ  ＩＤとを備える、Ｃ１に記載の方法。
［Ｃ８］
前記セット中の前記ＵＥのための前記個別ＣＴＳ信号は、ずらされた時間に受信される、Ｃ１に記載の方法。
［Ｃ９］
前記ＣＣＡは現在のゲーティング間隔中のサブフレームの間に実行され、
前記ＲＴＳ信号は前記ＣＣＡの後に送信され、
前記共通ＣＴＳ信号および前記個別ＣＴＳ信号は前記サブフレームの終わりの前に受信される、Ｃ１に記載の方法。
［Ｃ１０］
前記ＣＣＡと関連付けられる時間および前記ＲＴＳ信号の前記後続の送信と関連付けられる時間は、前記ＲＴＳ信号を受信するデバイスにおける衝突を回避するために、異なるｅＮＢの間でランダムにずらされる、Ｃ９に記載の方法。
［Ｃ１１］
前記ＣＣＡと関連付けられる時間および前記ＲＴＳ信号の前記後続の送信と関連付けられる時間は、前記ＲＴＳ信号を受信するデバイスにおける衝突を回避するために相互にずらされ、前記ずらすことは、ｅＮＢ間で交換される協調シグナリングに少なくとも基づく、Ｃ９に記載の方法。
［Ｃ１２］
ワイヤレス通信のための装置であって、
アンライセンススペクトラムの利用可能性を決定するためにクリアチャネルアセスメント（ＣＣＡ）を実行するための手段と、
前記アンライセンススペクトラムが利用可能であるという決定が行われるときに、前記アンライセンススペクトラムを使用してリクエストツーセンド（ＲＴＳ）信号をユーザ機器（ＵＥ）のセットに送信するための手段と、
前記アンライセンススペクトラムにおいて、前記ＲＴＳ信号に応答して共通クリアツーセンド（ＣＴＳ）信号と個別ＣＴＳ信号とを前記ＵＥの１つまたは複数から受信するための手段と、
を備える、装置。
［Ｃ１３］
前記ＲＴＳ信号を送信するための前記手段は、
ＵＥの前記セットからの前記アンライセンススペクトラム上での後続のアップリンク送信を保護するために、アップリンクグラントの前に前記ＲＴＳ信号を送信するための手段を備える、Ｃ１２に記載の装置。
［Ｃ１４］
前記ＲＴＳ信号は、前記ＲＴＳ信号のソースの媒体アクセス制御識別子（ＭＡＣ  ＩＤ）を備える、Ｃ１２に記載の装置。
［Ｃ１５］
前記ソースの前記ＭＡＣ  ＩＤは４８ビットのＭＡＣ  ＩＤを備える、Ｃ１４に記載の装置。
［Ｃ１６］
前記ＲＴＳ信号は、前記セット中の前記ＵＥの前記ＭＡＣ  ＩＤのハッシュされたバージョンを備える、Ｃ１２に記載の装置。
［Ｃ１７］
前記共通ＣＴＳ信号は、前記ＲＴＳ信号の前記送信からショートインターフレームスペース（ＳＩＦＳ）後に受信され、前記共通ＣＴＳ信号は、前記ＲＴＳ信号のソースのＭＡＣ  ＩＤを備える、Ｃ１２に記載の装置。
［Ｃ１８］
各個別ＣＴＳは、前記ＲＴＳ信号のソースのＭＡＣ  ＩＤと、前記個別ＣＴＳを送信する前記ＵＥのＭＡＣ  ＩＤとを備える、Ｃ１２に記載の装置。
［Ｃ１９］
前記セット中の前記ＵＥのための前記個別ＣＴＳ信号は、ずらされた時間に受信される、Ｃ１２に記載の装置。
［Ｃ２０］
前記ＣＣＡは現在のゲーティング間隔中のサブフレームの間に実行され、
前記ＲＴＳ信号は前記ＣＣＡの後に送信され、
前記共通ＣＴＳ信号および前記個別ＣＴＳ信号は前記サブフレームの終わりの前に受信される、Ｃ１２に記載の装置。
［Ｃ２１］
前記ＣＣＡと関連付けられる時間および前記ＲＴＳ信号の前記後続の送信と関連付けられる時間は、前記ＲＴＳ信号を受信するデバイスにおける衝突を回避するために、異なるｅＮＢの間でランダムにずらされる、Ｃ２０に記載の装置。
［Ｃ２２］
前記ＣＣＡと関連付けられる時間および前記ＲＴＳ信号の前記後続の送信と関連付けられる時間は、前記ＲＴＳ信号を受信するデバイスにおける衝突を回避するために相互にずらされ、前記ずらすことは、ｅＮＢ間で交換される協調シグナリングに少なくとも基づく、Ｃ２０に記載の装置。
［Ｃ２３］
ワイヤレス通信のための装置であって、
プロセッサと、
前記プロセッサと電気的に通信しているメモリと、
前記メモリに記憶された命令と、を備え、前記命令は、
アンライセンススペクトラムの利用可能性を決定するためにクリアチャネルアセスメント（ＣＣＡ）を実行し、
前記アンライセンススペクトラムが利用可能であるという決定が行われるときに、前記アンライセンススペクトラムを使用してリクエストツーセンド（ＲＴＳ）信号をユーザ機器（ＵＥ）のセットに送信し、
前記アンライセンススペクトラムにおいて、前記ＲＴＳ信号に応答して共通クリアツーセンド（ＣＴＳ）信号と個別ＣＴＳ信号とを前記ＵＥの１つまたは複数から受信するように、前記プロセッサによって実行可能である、装置。
［Ｃ２４］
前記ＲＴＳ信号を送信するように前記プロセッサによって実行可能な前記命令は、
ＵＥの前記セットからの前記アンライセンススペクトラム上での後続のアップリンク送信を保護するために、アップリンクグラントの前に前記ＲＴＳ信号を送信するように、前記プロセッサによって実行可能な命令を備える、Ｃ２２に記載の装置。
［Ｃ２５］
前記セット中の前記ＵＥのための前記個別ＣＴＳ信号は、ずらされた時間に受信される、Ｃ２２に記載の装置。
［Ｃ２６］
前記ＣＣＡは現在のゲーティング間隔中のサブフレームの間に実行され、
前記ＲＴＳ信号は前記ＣＣＡの後に送信され、
前記共通ＣＴＳ信号および前記個別ＣＴＳ信号は前記サブフレームの終わりの前に受信される、Ｃ２２に記載の装置。
［Ｃ２７］
前記ＣＣＡと関連付けられる時間および前記ＲＴＳ信号の前記後続の送信と関連付けられる時間は、前記ＲＴＳ信号を受信するデバイスにおける衝突を回避するために、異なるｅＮＢの間でランダムにずらされる、Ｃ２６に記載の装置。
［Ｃ２８］
前記ＣＣＡと関連付けられる時間および前記ＲＴＳ信号の前記後続の送信と関連付けられる時間は、前記ＲＴＳ信号を受信するデバイスにおける衝突を回避するために相互にずらされ、前記ずらすことは、ｅＮＢ間で交換される協調シグナリングに少なくとも基づく、Ｃ２６に記載の装置。
［Ｃ２９］
ワイヤレス通信システムにおけるワイヤレス通信装置による通信のためのコンピュータプログラム製品であって、前記ワイヤレス通信装置に、
アンライセンススペクトラムの利用可能性を決定するためにクリアチャネルアセスメント（ＣＣＡ）を実行させ、
前記アンライセンススペクトラムが利用可能であるという決定が行われるときに、前記アンライセンススペクトラムを使用してリクエストツーセンド（ＲＴＳ）信号をユーザ機器（ＵＥ）のセットへ送信させ、
前記アンライセンススペクトラムにおいて、前記ＲＴＳ信号に応答して共通クリアツーセンド（ＣＴＳ）信号と個別ＣＴＳ信号とを前記ＵＥの１つまたは複数から受信させるように、プロセッサによって実行可能な命令を記憶した、非一時的コンピュータ可読媒体を備える、コンピュータプログラム製品。
［Ｃ３０］
ワイヤレス通信のための方法であって、
ユーザ機器（ＵＥ）において、アンライセンススペクトラムを通じてＵＥのセットに送信されたリクエストツーセンド（ＲＴＳ）信号を受信することと、
前記アンライセンススペクトラムにおいて、前記ＲＴＳ信号に応答して共通クリアツーセンド（ＣＴＳ）信号と個別ＣＴＳ信号とを送信することと、
を備える方法。
［Ｃ３１］
前記ＲＴＳ信号を受信することは、
ＵＥの前記セットからの前記アンライセンススペクトラム上での後続のアップリンク送信を保護するために、アップリンクグラントの前に前記ＲＴＳ信号を受信することを備える、Ｃ３０に記載の方法。
［Ｃ３２］
前記ＲＴＳ信号は、前記ＲＴＳ信号のソースの媒体アクセス制御識別子（ＭＡＣ  ＩＤ）を備える、Ｃ３０に記載の方法。
［Ｃ３３］
前記ソースの前記ＭＡＣ  ＩＤは４８ビットのＭＡＣ  ＩＤを備える、Ｃ３２に記載の方法。
［Ｃ３４］
前記ＲＴＳ信号は、前記ＵＥのＭＡＣ  ＩＤのハッシュされたバージョンを備える、Ｃ３０に記載の方法。
［Ｃ３５］
前記共通ＣＴＳ信号は、前記ＲＴＳ信号の前記受信からショートインターフレームスペース（ＳＩＦＳ）後に送信され、前記共通ＣＴＳ信号は、前記ＲＴＳ信号のソースのＭＡＣ  ＩＤを備える、Ｃ３０に記載の方法。
［Ｃ３６］
前記個別ＣＴＳは、前記ＲＴＳ信号のソースのＭＡＣ  ＩＤと、前記ＵＥのＭＡＣ  ＩＤとを備える、Ｃ３０に記載の方法。
［Ｃ３７］
前記個別ＣＴＳ信号は、ＵＥの前記セット中の別のＵＥによって送信される別の個別ＣＴＳ信号に対してずらされた時間に送信される、Ｃ３０に記載の方法。
［Ｃ３８］
前記ＲＴＳ信号はサブフレームの間に受信され、
前記共通ＣＴＳ信号および前記個別ＣＴＳ信号は前記サブフレームの終わりの前に送信される、Ｃ３０に記載の方法。
［Ｃ３９］
ワイヤレス通信のための装置であって、
ユーザ機器（ＵＥ）において、アンライセンススペクトラムを通じてＵＥのセットに送信されたリクエストツーセンド（ＲＴＳ）信号を受信するための手段と、
前記アンライセンススペクトラムにおいて、前記ＲＴＳ信号に応答して共通クリアツーセンド（ＣＴＳ）信号と個別ＣＴＳ信号とを送信するための手段と、
を備える装置。
［Ｃ４０］
前記ＲＴＳ信号を受信するための前記手段は、
ＵＥの前記セットからの前記アンライセンススペクトラム上での後続のアップリンク送信を保護するために、アップリンクグラントの前に前記ＲＴＳ信号を受信するための手段を備える、Ｃ３９に記載の装置。
［Ｃ４１］
前記ＲＴＳ信号は、前記ＲＴＳ信号のソースの媒体アクセス制御識別子（ＭＡＣ  ＩＤ）を備える、Ｃ３９に記載の装置。
［Ｃ４２］
前記ソースの前記ＭＡＣ  ＩＤは４８ビットのＭＡＣ  ＩＤを備える、Ｃ４１に記載の装置。
［Ｃ４３］
前記ＲＴＳ信号は、前記ＵＥのＭＡＣ  ＩＤのハッシュされたバージョンを備える、Ｃ３９に記載の装置。
［Ｃ４４］
前記共通ＣＴＳ信号は、前記ＲＴＳ信号の前記受信からショートインターフレームスペース（ＳＩＦＳ）後に送信され、前記共通ＣＴＳ信号は、前記ＲＴＳ信号のソースのＭＡＣ  ＩＤを備える、Ｃ３９に記載の装置。
［Ｃ４５］
前記個別ＣＴＳは、前記ＲＴＳ信号のソースのＭＡＣ  ＩＤと、前記ＵＥのＭＡＣ  ＩＤとを備える、Ｃ３９に記載の装置。
［Ｃ４６］
前記個別ＣＴＳ信号は、ＵＥの前記セット中の別のＵＥによって送信される別の個別ＣＴＳ信号に対してずらされた時間に送信される、Ｃ３９に記載の装置。
［Ｃ４７］
前記ＲＴＳ信号はサブフレームの間に受信され、
前記共通ＣＴＳ信号および前記個別ＣＴＳ信号は前記サブフレームの終わりの前に送信される、Ｃ３９に記載の装置。
［Ｃ４８］
ワイヤレス通信のための装置であって、
プロセッサと、
前記プロセッサと電気的に通信しているメモリと、
前記メモリに記憶された命令と、を備え、前記命令は、
ユーザ機器（ＵＥ）において、アンライセンススペクトラムを通じてＵＥのセットに送信されたリクエストツーセンド（ＲＴＳ）信号を受信し、
前記アンライセンススペクトラムにおいて、前記ＲＴＳ信号に応答して共通クリアツーセンド（ＣＴＳ）信号と個別ＣＴＳ信号とを送信するように、前記プロセッサによって実行可能である、装置。
［Ｃ４９］
前記ＲＴＳ信号を受信するように前記プロセッサによって実行可能な前記命令は、
ＵＥの前記セットからの前記アンライセンススペクトラム上での後続のアップリンク送信を保護するために、アップリンクグラントの前に前記ＲＴＳ信号を受信するように、前記プロセッサによって実行可能な命令を備える、Ｃ４８に記載の装置。
［Ｃ５０］
前記個別ＣＴＳは、前記ＲＴＳ信号のソースのＭＡＣ  ＩＤと、前記ＵＥのＭＡＣ  ＩＤとを備える、Ｃ４８に記載の装置。
［Ｃ５１］
前記個別ＣＴＳ信号は、ＵＥの前記セット中の別のＵＥによって送信される別の個別ＣＴＳ信号に対してずらされた時間に送信される、Ｃ４８に記載の装置。
［Ｃ５２］
前記ＲＴＳ信号はサブフレームの間に受信され、
前記共通ＣＴＳ信号および前記個別ＣＴＳ信号は前記サブフレームの終わりの前に送信される、Ｃ４８に記載の装置。
［Ｃ５３］
ワイヤレス通信システムにおけるユーザ機器（ＵＥ）による通信のためのコンピュータプログラム製品であって、前記ＵＥに、
アンライセンススペクトラムの利用可能性を決定するためにクリアチャネルアセスメント（ＣＣＡ）を実行させ、
前記アンライセンススペクトラムが利用可能であるという決定が行われるときに、前記アンライセンススペクトラムを使用してリクエストツーセンド（ＲＴＳ）信号をユーザ機器（ＵＥ）のセットへ送信させ、
前記アンライセンススペクトラムにおいて、前記ＲＴＳ信号に応答して共通クリアツーセンド（ＣＴＳ）信号と個別ＣＴＳ信号とを前記ＵＥの１つまたは複数から受信させるように、プロセッサによって実行可能な命令を記憶した、非一時的コンピュータ可読媒体を備える、コンピュータプログラム製品。
［Ｃ５４］
ワイヤレス通信のための方法であって、
ユーザ機器（ＵＥ）のセットに宛てられた、アンライセンススペクトラムにおけるリクエストツーセンド（ＲＴＳ）信号またはライセンススペクトラムにおける仮想ＲＴＳ（Ｖ−ＲＴＳ）信号を送信することと、
前記Ｖ−ＲＴＳ信号の前記送信とともに、前記アンライセンススペクトラムにおいてクリアツーセンド（ＣＴＳ）−ｔｏ−ｓｅｌｆ信号を送信することと、
を備える、方法。
［Ｃ５５］
前記ＲＴＳ信号または前記Ｖ−ＲＴＳ信号に応答して、前記ライセンススペクトラムにおいて前記セット中の各ＵＥから仮想ＣＴＳ（Ｖ−ＣＴＳ）信号を受信することをさらに備える、Ｃ５４に記載の方法。
［Ｃ５６］
前記Ｖ−ＣＴＳ信号は、今後のスケジューリングにおいて使用するための、前記それぞれのＵＥによって行われる測定結果を備える、Ｃ５５に記載の方法。
［Ｃ５７］
サブフレームの残りに対する現在のチャネルの知識に基づいて、前記Ｖ−ＣＴＳ信号を受信した後に、トラフィックをスケジューリングすることをさらに備える、Ｃ５５に記載の方法。
［Ｃ５８］
前記ＲＴＳ信号は、ＵＥの前記セット中の各ＵＥのために、ダウンリンクプライマリコンポーネントキャリア中で送信される、Ｃ５４に記載の方法。
［Ｃ５９］
ワイヤレス通信のための装置であって、
ユーザ機器（ＵＥ）のセットに宛てられた、アンライセンススペクトラムにおけるリクエストツーセンド（ＲＴＳ）信号またはライセンススペクトラムにおける仮想ＲＴＳ（Ｖ−ＲＴＳ）信号を送信するための手段と、
前記Ｖ−ＲＴＳ信号の前記送信とともに、前記アンライセンススペクトラムにおいてクリアツーセンド（ＣＴＳ）−ｔｏ−ｓｅｌｆ信号を送信するための手段と、
を備える、装置。
［Ｃ６０］
前記ＲＴＳ信号または前記Ｖ−ＲＴＳ信号に応答して、前記ライセンススペクトラムにおいて前記セット中の各ＵＥから仮想ＣＴＳ（Ｖ−ＣＴＳ）信号を受信するための手段をさらに備える、Ｃ５９に記載の装置。
［Ｃ６１］
前記Ｖ−ＣＴＳ信号は、今後のスケジューリングにおいて使用するための、前記それぞれのＵＥによって行われる測定結果を備える、Ｃ６０に記載の装置。
［Ｃ６２］
サブフレームの残りに対する現在のチャネルの知識に基づいて、前記Ｖ−ＣＴＳ信号を受信した後に、トラフィックをスケジューリングするための手段をさらに備える、Ｃ６０に記載の装置。
［Ｃ６３］
前記ＲＴＳ信号は、ＵＥの前記セット中の各ＵＥのために、ダウンリンクプライマリコンポーネントキャリア中で送信される、Ｃ５９に記載の装置。
［Ｃ６４］
ワイヤレス通信のための装置であって、
プロセッサと、
前記プロセッサと電気的に通信しているメモリと、
前記メモリに記憶された命令と、を備え、前記命令は、
ユーザ機器（ＵＥ）のセットに宛てられた、アンライセンススペクトラムにおけるリクエストツーセンド（ＲＴＳ）信号またはライセンススペクトラムにおける仮想ＲＴＳ（Ｖ−ＲＴＳ）信号を送信し、
前記Ｖ−ＲＴＳ信号の前記送信とともに、前記アンライセンススペクトラムにおいてクリアツーセンド（ＣＴＳ）−ｔｏ−ｓｅｌｆ信号を送信するように、前記プロセッサによって実行可能である、装置。
［Ｃ６５］
前記命令は、
前記ＲＴＳ信号または前記Ｖ−ＲＴＳ信号に応答して、前記ライセンススペクトラムにおいて前記セット中の各ＵＥから仮想ＣＴＳ（Ｖ−ＣＴＳ）信号を受信するように、前記プロセッサによって実行可能である、Ｃ６４に記載の装置。
［Ｃ６６］
前記Ｖ−ＣＴＳ信号は、今後のスケジューリングにおいて使用するための、前記それぞれのＵＥによって行われる測定結果を備える、Ｃ６５に記載の装置。
［Ｃ６７］
前記命令は、
サブフレームの残りに対する現在のチャネルの知識に基づいて、前記Ｖ−ＣＴＳ信号を受信した後に、トラフィックをスケジューリングするように、前記プロセッサによって実行可能である、Ｃ６５に記載の装置。
［Ｃ６８］
ワイヤレス通信システムにおけるワイヤレス通信装置による通信のためのコンピュータプログラム製品であって、前記ワイヤレス通信装置に、
ユーザ機器（ＵＥ）のセットに宛てられた、アンライセンススペクトラムにおけるリクエストツーセンド（ＲＴＳ）信号またはライセンススペクトラムにおける仮想ＲＴＳ（Ｖ−ＲＴＳ）信号を送信させ、
前記Ｖ−ＲＴＳ信号の前記送信とともに、前記アンライセンススペクトラムにおいてクリアツーセンド（ＣＴＳ）−ｔｏ−ｓｅｌｆ信号を送信させるように、プロセッサによって実行可能な命令を記憶した、非一時的コンピュータ可読媒体を備える、コンピュータプログラム製品。
［Ｃ６９］
ワイヤレス通信のための方法であって、
ユーザ機器（ＵＥ）において、アンライセンススペクトラムにおけるリクエストツーセンド（ＲＴＳ）信号またはライセンススペクトラムにおける仮想ＲＴＳ（Ｖ−ＲＴＳ）を受信することを備え、前記ＲＴＳ信号または前記Ｖ−ＲＴＳ信号はＵＥのセットに宛てられている、方法。
［Ｃ７０］
前記ＲＴＳ信号または前記Ｖ−ＲＴＳ信号に応答して、前記ライセンススペクトラムにおいて前記ＵＥから仮想ＣＴＳ（Ｖ−ＣＴＳ）信号を送信することをさらに備える、Ｃ６９に記載の方法。
［Ｃ７１］
前記Ｖ−ＣＴＳ信号は、今後のスケジューリングにおいて使用するための、前記ＵＥによって行われる測定結果を備える、Ｃ７０に記載の方法。
［Ｃ７２］
前記ＲＴＳ信号は、前記ＵＥのダウンリンクプライマリコンポーネントキャリア中で受信される、Ｃ６９に記載の方法。
［Ｃ７３］
ワイヤレス通信のための装置であって、
ユーザ機器（ＵＥ）において、アンライセンススペクトラムにおけるリクエストツーセンド（ＲＴＳ）信号またはライセンススペクトラムにおける仮想ＲＴＳ（Ｖ−ＲＴＳ）を受信するための手段を備え、前記ＲＴＳ信号または前記Ｖ−ＲＴＳ信号はＵＥのセットに宛てられている、装置。
［Ｃ７４］
ワイヤレス通信のための装置であって、
プロセッサと、
前記プロセッサと電気的に通信しているメモリと、
前記メモリに記憶された命令と、を備え、前記命令は、
ユーザ機器（ＵＥ）において、アンライセンススペクトラムにおけるリクエストツーセンド（ＲＴＳ）信号またはライセンススペクトラムにおける仮想ＲＴＳ（Ｖ−ＲＴＳ）を受信するように前記プロセッサによって実行可能であり、前記ＲＴＳ信号または前記Ｖ−ＲＴＳ信号はＵＥのセットに宛てられている、装置。
［Ｃ７５］
ワイヤレス通信システムにおけるＵＥによる通信のためのコンピュータプログラム製品であって、前記ＵＥに、
アンライセンススペクトラムにおけるリクエストツーセンド（ＲＴＳ）信号またはライセンススペクトラムにおける仮想ＲＴＳ（Ｖ−ＲＴＳ）を受信させるようにプロセッサによって実行可能な命令を記憶した、非一時的コンピュータ可読媒体を備え、前記ＲＴＳ信号または前記Ｖ−ＲＴＳ信号はＵＥのセットに宛てられている、コンピュータプログラム製品。